(57)【要約】【課題】  データベースから取得した情報を一覧表示する際の表示項目を利用者が適宜設定、保存を可能とし、保存した表示項目を一覧表示項目として利用可能とするデータベースシステム等を提供する。【解決手段】  サーバ１０１の制御部２０１は、端末装置１０３からの表示項目設定要求に応じて、商品情報データベース３０１から取得した情報を表示する際の表示項目９０２とその並びを設定し、表示項目セット９１２として名前をつけて商品情報データベース３０１に保存する。制御部２０１は、保存した表示項目セット９１２を呼び出し、その表示項目９０２に従って商品情報データベース３０１から取得した情報を一覧表示する情報一覧９０１を提供する。【選択図】  図１２
2005092498.tif 000002
【特許請求の範囲】
【請求項１】
登録利用者の端末装置と、サーバと、がネットワークを介して接続されるシステムであって、
前記サーバは、
情報を蓄積するデータベースと、
前記端末装置からの要求に応じて、前記データベースから取得した情報を一覧表示する際の表示項目とその並びを設定し、表示項目セットとして保持する設定保持手段と、
保持した表示項目セットに応じて、前記データベースから必要な情報を前記端末装置に提供する提供手段と、
を具備することを特徴とするデータベースシステム。
【請求項２】
前記サーバは、
前記表示項目セットの内容をテキストファイルとして作成する作成手段、
を更に具備することを特徴とする請求項１に記載のデータベースシステム。
【請求項３】
前記提供手段は、
前記登録利用者または前記登録利用者のグループに応じて、前記表示項目セットの使用を可能とすることを特徴とする請求項１に記載のデータベースシステム。
【請求項４】
前記設定保持手段は、
前記登録利用者または前記登録利用者のグループに応じて、前記表示項目セットの内容の変更を可能とすることを特徴とする請求項１に記載のデータベースシステム。
【請求項５】
登録利用者の端末装置と、ネットワークを介して接続されるサーバであって、
情報を蓄積するデータベースと、
前記端末装置からの要求に応じて、前記データベースから取得した情報を一覧表示する際の表示項目とその並びを設定し、表示項目セットとして保持する設定保持手段と、
保持した表示項目セットに応じて、前記データベースから必要な情報を前記端末装置に提供する提供手段と、
を具備することを特徴とするサーバ。
【請求項６】
前記表示項目セットの内容をテキストファイルに作成する作成手段、
を更に具備することを特徴とする請求項５に記載のサーバ。
【請求項７】
前記提供手段は、
前記登録利用者または前記登録利用者のグループに応じて、前記表示項目セットの使用を可能とすることを特徴とする請求項５に記載のサーバ。
【請求項８】
前記設定保持手段は、
前記登録利用者または前記登録利用者のグループに応じて、前記表示項目セットの内容の変更を可能とすることを特徴とする請求項５に記載のサーバ。
【請求項９】
コンピュータを請求項５から請求項８のいずれかに記載のサーバとして機能させるプログラム。
【請求項１０】
コンピュータを請求項５から請求項８のいずれかに記載のサーバとして機能させるプログラムを記録した記録媒体。
【発明の詳細な説明】
【技術分野】
【０００１】
本発明は、ネットワークを利用したデータベースシステムに係り、特にデータベースから取得した情報の一覧表示における表示項目の保存機能に関する。
【背景技術】
【０００２】
近年、カタログ制作を行う際、コンピュータの普及に伴い、カタログに載せる商品データをデータベース化して利用することが始まっている。データベースと連携し、デスクトップパブリッシング（ＤＴＰ）等でカタログ制作作業を行い、その効率化が図られてきている。例えば、商品情報等を蓄積したデータベースと、データベースの情報を管理し、データベースの情報の入出力、検索、閲覧等の機能を提供するサーバと複数のユーザ端末装置等からなるデータベースシステムが幾つか存在する（例えば、特許文献１）。
【０００３】
【特許文献１】特開２００１−３０６３７７号公報
【発明の開示】
【発明が解決しようとする課題】
【０００４】
従来のデータベースシステムにおいては、データベースから取得した情報を一覧表示する際の表示項目は、アプリケーションにより予め設定されていたり、ユーザが設定する場合でもその都度設定し直す必要があり、操作性や機能性が低いという問題があった。
【０００５】
本発明は、以上の点に鑑みてなされたものであり、データベースから取得した情報を一覧表示する際の表示項目を利用者が適宜設定、保存を可能とし、保存した表示項目を一覧表示項目として利用可能とするデータベースシステム等を提供することを目的とする。
【課題を解決するための手段】
【０００６】
前述した目的を達成するために第１の発明は、登録利用者の端末装置と、サーバと、がネットワークを介して接続されるシステムであって、前記サーバは、情報を蓄積するデータベースと、前記端末装置からの要求に応じて、前記データベースから取得した情報を一覧表示する際の表示項目とその並びを設定し、表示項目セットとして保持する保持手段と、保持した表示項目セットに応じて、前記データベースから必要な情報を前記端末装置に提供する提供手段と、を具備することを特徴とするデータベースシステムである。
【０００７】
また、前記サーバは、前記表示項目セットの内容をテキストファイルとして作成する作成手段、を更に具備することが望ましい。
また、前記提供手段は、前記登録利用者または前記登録利用者のグループに応じて、前記表示項目セットの使用を可能とすることが望ましい。
また、前記設定保持手段は、前記登録利用者または前記登録利用者のグループに応じて、前記表示項目セットの内容の変更を可能とすることが望ましい。
【０００８】
第１の発明では、サーバは、情報を蓄積するデータベースを有し、端末装置からの要求に応じて、データベースから取得した情報を一覧表示する際の表示項目とその並びを設定し、表示項目セットとして保持し、保持した表示項目セットに応じて、データベースから必要な情報を前記端末装置に提供する。
【０００９】
第２の発明は、登録利用者の端末装置と、ネットワークを介して接続されるサーバであって、情報を蓄積するデータベースと、前記端末装置からの要求に応じて、前記データベースから取得した情報を一覧表示する際の表示項目とその並びを設定し、表示項目セットとして保持する設定保持手段と、保持した表示項目セットに応じて、前記データベースから必要な情報を前記端末装置に提供する提供手段と、を具備することを特徴とするサーバである。
第２の発明は、第１の発明のデータベースシステムで用いられるサーバに関する発明である。
【００１０】
「表示項目」は、データベースから取得した情報を一覧表示する際の項目である。
「表示項目セット」は、表示項目とその並びである。
「グループ」は、登録利用者のグループであり、ログイン時に設定する。表示項目セットは、登録利用者または登録利用者のグループに応じて、使用可能とし、内容の変更を可能とする。
【００１１】
第３の発明は、コンピュータを第２の発明のサーバとして機能させるプログラムである。
第４の発明は、コンピュータを第２の発明のサーバとして機能させるプログラムを記録した記録媒体である。
【００１２】
上述のプログラムをＣＤ−ＲＯＭ等の記録媒体に保持させて流通させてもよいし、このプログラムを通信回線を介して送受することもできる。
【発明の効果】
【００１３】
本発明は、データベースから取得した情報を一覧表示する際の表示項目を利用者が適宜設定、保存を可能とし、保存した表示項目を一覧表示項目として利用可能とするデータベースシステム等を提供することができる。
【発明を実施するための最良の形態】
【００１４】
以下に、添付図面を参照しながら、本発明に係るデータベースシステム等の好適な実施形態について詳細に説明する。なお、以下の説明および添付図面において、略同一の機能構成を有する構成要素については、同一の符号を付することにより重複説明を省略することにする。
【００１５】
図１は、本発明の本実施の形態に係るデータベースシステム１００の概略構成を示す図である。
【００１６】
図１に示すように、データベースシステム１００は、サーバ１０１、ユーザ１０４の端末装置１０３等が、ネットワーク１０９を介して接続されて構成される。尚、データベースシステム１００は、ＷＷＷ（Ｗｏｒｌｄ  Ｗｉｄｅ  Ｗｅｂ）技術を用いて実現した場合の構成図である。
【００１７】
ネットワーク１０９は、インターネット、ローカルエリアネットワーク（ＬＡＮ）、社内ＬＡＮ等のネットワークであり、有線、無線を問わない。
【００１８】
サーバ１０１は、サーバコンピュータ等であり、ＷＷＷサーバ１１０、データベース操作手段１１１、データベースサーバ管理手段１１２、データベース管理手段１１３等を有する。データベース操作手段１１１は、ＷＷＷサーバ１１０から呼び出され、商品情報データベース３０１の検索や情報内容の参照、閲覧等を行う。データベースサーバ管理手段１１２は、ユーザ１０４の登録や各種設定等のシステム運用・管理を行う。データベース管理手段１１３は、データベースエンジン等であり、データベースへの検索、参照、登録、削除等の各種要求に対する該当処理を行う。
【００１９】
ユーザ１０４は、商品情報データベース３０１を利用する、予め、サーバ１０１に登録した利用者であり、端末装置１０３を有する。端末装置１０３には、ＷＷＷブラウザ１２０が搭載される。端末装置１０３は、ＷＷＷブラウザ１２０を介して、サーバ１０１のＷＷＷサーバ１１０にアクセスし、商品情報データベース３０１の操作要求、入力情報等を送信し、商品情報データベース３０１から取得した情報等を受信する。尚、端末装置１０３は、パーソナルコンピュータ、携帯情報端末（Ｐｅｒｓｏｎａｌ  Ｄｉｇｉｔａｌ  Ａｓｓｉｓｔａｎｔ）等である。
【００２０】
次に、サーバ１０１のハードウェア構成を説明する。図２は、サーバ１０１のハードウェア構成図である。
【００２１】
図２に示すように、サーバ１０１は、制御部２０１、記憶装置２０２（ハードディスク）、メディア入出力部２０３（ＣＤ−ＲＯＭ）、通信制御部２０４（通信制御装置、通信ポート等）、入力部２０５（キーボード、マウス等）、印刷部２０６（プリンタ）、表示部２０７（ディスプレイ）等が、バス２０９を介して接続される。
【００２２】
制御部２０１は、ＣＰＵ、ＲＯＭ、ＲＡＭ等で構成され、大容量記憶媒体としての記憶装置２０２に格納されたプログラムに従って、バス２０９を介して接続された各装置を駆動制御する。
【００２３】
記憶装置２０２には、各構成部分を駆動制御する制御プログラム３１１、アプリケーションプログラム３１２、及び商品情報データベース３０１等が格納されている。
【００２４】
これらの各プログラムコードは、制御部２０１により必要に応じて読み出されてＲＡＭに移され、ＣＰＵに読み出されて各種の手段として実行される。
【００２５】
メディア入出力部２０３（ＣＤ−ＲＯＭドライブ装置）は、制御部２０１のＲＯＭや記憶装置２０２に記憶されているプログラムや情報をバージョンアップ、機器設定等の設定を行う際に用いられる。
【００２６】
通信制御部２０４は、通信制御装置、通信ポート等であり、ネットワーク１０９を介して、サーバ１０１と、端末装置１０３間の通信制御を行う。
【００２７】
入力部２０５は、キーボード、マウス等であり、表示部２０７（ディスプレイ）に表示された操作案内、各種処理、操作を行う。
印刷部２０６は、プリンタであり、印刷出力処理を行う。
【００２８】
次に、記憶装置２０２におけるデータベースシステム関連のファイル配置について説明する。図３は、記憶装置２０２におけるデータベースシステム関連のファイル配置を示す。図３に示すように、記憶装置２０２内には、商品情報データベース３０１、及び制御プログラム３１１、アプリケーションプログラム３１２等が格納されている。
【００２９】
商品情報データベース３０１には、商品情報等を蓄積する。尚、サーバ１０１が管理する商品情報データベース３０１は、必要に応じて、複数存在してもよい。
【００３０】
制御プログラム３１１は、サーバ１０１の各構成部分を駆動制御するプログラムである。
アプリケーションプログラム３１２は、実行可能プログラムであり、ＷＷＷサーバ１１０、データベース操作手段１１１、データベースサーバ管理手段１１２、データベース管理手段１１３等に該当するプログラムである。
【００３１】
次に、端末装置１０３のハードウェア構成を説明する。図４は、端末装置１０３のハードウェア構成図である。
【００３２】
図４に示すように、端末装置１０３は、制御部４０１、記憶装置４０２（ハードディスク、外部メモリ）、メディア入出力部４０３（ＣＤ−ＲＯＭ）、通信制御部４０４（通信制御装置、通信ポート等）、入力部４０５（キーボード、マウス等）、印刷部４０６（プリンタ）、表示部４０７（ディスプレイ）等が、バス４０９を介して接続される。
【００３３】
制御部４０１は、ＣＰＵ、ＲＯＭ、ＲＡＭ等で構成され、大容量記憶媒体としての記憶装置４０２に格納されたプログラムに従って、バス４０９を介して接続された各装置を駆動制御する。
【００３４】
記憶装置４０２（ハードディスク）には、各構成部分を駆動制御するプログラム、ＷＷＷブラウザ１２０等のアプリケーションプログラム等が格納されている。
【００３５】
これらの各プログラムコードは、制御部４０１により必要に応じて読み出されてＲＡＭに移され、ＣＰＵに読み出されて各種の手段として実行される。
【００３６】
メディア入出力部４０３（ＣＤ−ＲＯＭドライブ装置）は、制御部４０１のＲＯＭや記憶装置４０２に記憶されているプログラムや情報をバージョンアップ、機器設定等の設定を行う際に用いられる。
【００３７】
通信制御部４０４は、通信制御装置、通信ポート等であり、ネットワーク１０９を介して、端末装置１０３と、サーバ１０１間の通信制御を行う。
【００３８】
入力部４０５は、キーボード、マウス等であり、表示部４０７（ディスプレイ）に表示された操作案内、各種処理、操作を行う。
印刷部４０６は、プリンタであり、印刷出力処理を行う。
【００３９】
次に、データベースシステム１００の情報提供の処理の流れを説明する。図５、図６、図７は、データベースシステム１００の処理手順を示すフローチャートである。図８は、ログイン画面８００とデータベース選択画面８１０を示す。
【００４０】
図５に示すように、端末装置１０３の制御部４０１は、サーバ１０１にアクセスし、ログインする（ステップ５０１）。
【００４１】
例えば、ユーザ１０４は端末装置１０３のＷＷＷブラウザ１２０からサーバ１０１のＵＲＬを指定してサーバ１０１にアクセスし、サーバ１０１の制御部２０１は、ＷＷＷサーバ１１０を介して、ログイン画面データを端末装置１０３に送信する。
図８に示すように、制御部４０１は、ＷＷＷブラウザ１２０を介して、受け取ったログイン画面８００を表示する。ユーザ１０４は、ユーザＩＤ８０２、パスワード８０３を入力し、制御部４０１は、入力したユーザＩＤ８０２、パスワード８０３をサーバ１０１に送信する。また、必要に応じて、複数のサーバ１０１が存在する場合、サーバ名８０１を指定する。
【００４２】
サーバ１０１の制御部２０１は、ＷＷＷサーバ１１０を介して、ユーザＩＤ８０２、パスワード８０３等を受け取り、ユーザ認証を行う（ステップ５０２）。以降、端末装置１０３とサーバ１０１との間でのデータの送受信は、ＷＷＷブラウザ１２０とＷＷＷサーバ１１０を介して、行われる。
制御部２０１は、正しくユーザ認証された場合、データベース選択画面８１０データを端末装置１０３に送信する（ステップ５０３）。
【００４３】
端末装置１０３の制御部４０１は、受け取ったデータベース選択画面８１０を表示する（ステップ５０４）。
図８に示すように、ユーザ１０４は、ユーザグループ８１１を選択すると、制御部４０１は選択したユーザグループ８１１に応じて接続可能なデータベース名８１２が表示され、データベース名８１２を選択し、制御部４０１は、ユーザグループ８１１、データベース名８１２等をサーバ１０１に送信する（ステップ５０５）。例えば、ユーザグループ８１１に“ｄｅｍｏ−ＲＷ（編集）”を選択すると、接続可能なデータベースとして“商品情報データベース（ｄｂ−Ｖ１）”と“商品情報データベース（ｄｂ−Ｖ２）”が表示され、“商品情報データベース（Ｖ１）”を選択する。
【００４４】
サーバ１０１の制御部２０１は、ユーザグループ８１１、データベース名８１２に応じた商品情報データベース３０１等を設定する（ステップ５０６）。
制御部２０１は、ユーザ１０４が商品情報データベース３０１に対する検索、閲覧等を行うメイン画面データを端末装置１０３に送信する（ステップ５０７）。
【００４５】
端末装置１０３の制御部４０１は、受け取ったメイン画面９００を表示する（ステップ５０８）。図９は、メイン画面９００を示す。
図９に示すように、メイン画面９００には、商品情報データベース３０１から取得した情報を表示する情報一覧９０１、商品／素材情報等の格納先であるグループ一覧９０３／作業箱一覧９０４／バスケット一覧９０５、及び各種制御ボタン、制御メニュ等が表示される。
【００４６】
次に、表示項目の設定と保存について説明する。図６に示すように、ユーザ１０４は、表示項目設定ボタン９１３等をクリックすることにより、制御部４０１は、表示項目設定要求をサーバ１０１に送信する（ステップ６０１）。また、表示メニュボタン９１４により表示された表示メニュの「一覧表示項目設定」をクリックすることにより、制御部４０１は、表示項目設定要求をサーバ１０１に送信する。
【００４７】
サーバ１０１の制御部２０１は、表示対象の項目一覧を示す表示項目設定画面データを送出する（ステップ６０２）。
端末装置１０３の制御部４０１は、表示項目設定画面１０００を表示する（ステップ６０３）。図１０は、表示項目設定画面１０００を示す。
【００４８】
図１０に示すように、表示項目設定画面１０００は、項目一覧１００１、表示項目９０２、表示項目セット名１００３、商品情報の構造１００４、テキスト出力ボタン１００５、保存ボタン１００６、ＯＫボタン１００７等からなる。項目一覧１００１は、構造１００４毎の項目１０１０の一覧である。表示項目９０２は、一覧表示する際の表示項目とする項目である。構造１００４は、例えば、商品単位のデータ構造を示すものであり、商品名（パーソナルコンピュータ、テレビ、キッチン等）で表される。尚、構造１００４は、商品名に限るものではなく、例えば、商品カテゴリに分類した「電化製品」、「付属品」等の名称であってもよい。
制御部４０１は、テキスト出力ボタン１００５により、設定した表示項目９０２とその並び（表示項目セット９１２）の内容をテキストファイルに作成し、端末装置１０３に送信する。制御部４０１は、保存ボタン１００６により、設定した表示項目とその並びに名前をつけて保存する。制御部４０１は、ＯＫボタン１００７により、メイン画面９００に戻る。
【００４９】
ユーザ１０４は、項目一覧１００１より、表示項目とする項目１０１０を選択し、表示項目９０２に設定する（ステップ６０４）。
例えば、項目一覧１００１から項目１０１０−１“メディア名”、項目１０１−５“掲載コード”等を選択し、表示項目９０２に設定する。
【００５０】
ユーザ１０４は保存ボタン１００６をクリックすることにより、制御部４０１は、表示項目セット名指定画面１０２０を表示する（ステップ６０５）。ユーザ１０４は、表示項目セット名１００３を入力し、保存ボタン１０２１をクリックすることにより、制御部４０１は、サーバ１０１に表示項目９０２の保存要求を行う（ステップ６０６）。
【００５１】
サーバ１０１の制御部２０１は、表示項目セット名１００３、表示項目９０２とその並び等からなる表示項目セット９１２を記憶装置２０２の商品情報データベース３０１に保存する（ステップ６０７）。
【００５２】
次に、保存した表示項目の使用方法について説明する。図１１は、保存した表示項目の使用を示す。図１２は、保存した表示項目による一覧表示を示す。
【００５３】
図７、図１１に示すように、ユーザ１０４は、メイン画面９００上の表示項目セット９１２から、表示項目セット名１００３を選択し、制御部４０１は、サーバ１０１に一覧表示要求を行う（ステップ７０１）。
例えば、表示項目セット９１２で、表示項目セット名１００３“一覧表示用”の表示項目セット９１２を選択する。
【００５４】
サーバ１０１の制御部２０１は、選択された表示項目セット９１２に従って、記憶装置２０２の商品情報データベース３０１の情報を一覧表示する情報一覧データを端末装置１０３に送信する（ステップ７０２）。
【００５５】
図１２に示すように、端末装置１０３の制御部４０１は、受け取った情報一覧９０１をメイン画面９００上に表示する（ステップ７０３）。情報一覧９０１には、選択した表示項目セット名１００３−１“一覧表示用”の表示項目セット９１２の表示項目９０２（“メディア名”、“掲載コード”、“品名”、“品名（フリガナ）”、“商品コード”、“標準価格”、“注文コード”等）に対する商品情報が一覧表示される。
【００５６】
ユーザグループ８１１に応じて、表示項目セット９１２の使用、表示項目セット９１２の内容変更等を可能とする。
例えば、選択した表示項目セット名１００３−１“一覧表示用”の表示項目セット９１２は、作成したユーザ１０４以外の同じユーザグループ８１１のユーザ１０４、または所定のユーザグループがその表示項目セット９１２を使用、内容変更を可能とする。
【００５７】
また、保存してある表示項目セット９１２のみを選択できるようにすることにより、あるユーザ１０４に提供する商品情報データベース３０１の情報を制限することができる。また、制限内の表示項目セット９１２の組み合わせを幾つか用意することにより、制限がある中でも表示する内容を選択することが可能となる。例えば、図１１に示すように、表示項目セット９１２に、表示項目セット名１００３−１“一覧表示用”、表示項目セット名１００３−２“仕様一覧”、表示項目セット名１００３−３“仕様一覧―２”等を用意し、選択可能とする。
【００５８】
以上説明したように、本発明の実施の形態によれば、サーバ１０１は、商品情報を蓄積する商品情報データベース３０１を有し、端末装置１０３からの要求に応じて、商品情報データベース３０１から取得した情報を表示する際の表示項目９０２とその並びを設定し、表示項目セット９１２として名前をつけて商品情報データベース３０１に保存し、保存した表示項目セット９１２を呼び出し、その表示項目９０２に従って、商品情報データベース３０１から取得した情報を一覧表示することにより、一覧表示時の操作性と機能性が向上する。
【００５９】
また、保存してある表示項目セット９１２のみを選択できるようにしたり、ユーザ１０４またはユーザグループ８１１に応じて、表示項目セット９１２の利用を可能とすることにより、ユーザ１０４毎にデータベースの情報を制限して公開可能とし、役割の異なる様々なユーザ１０４に対して、柔軟に必要な情報を提供できる。
【００６０】
尚、本実施の形態では、データベースとして商品情報等を蓄積する商品情報データベース３０１を用いたが、商品情報等に限るものではない。
【００６１】
また、本実施の形態では、ＷＷＷ技術を用いて実現したが、端末装置１０３に専用のユーザプログラムを備えることにより、ＷＷＷ技術を用いずに実現することも可能である。
【００６２】
尚、図５、図６、図７等に示す処理を行うプログラムはＣＤ−ＲＯＭ等の記録媒体に保持させて流通させてもよいし、このプログラムを通信回線を介して送受することもできる。
【００６３】
以上、添付図面を参照しながら、本発明に係るデータベースシステム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００６４】
【図１】本実施の形態に係るデータベースシステム１００の概略構成を示す図
【図２】サーバ１０１のハードウェア構成図
【図３】記憶装置２０２におけるデータベースシステム関連ファイルを示す図
【図４】端末装置１０３のハードウェア構成図
【図５】データベースシステム１００の処理手順を示すフローチャート
【図６】データベースシステム１００の処理手順を示すフローチャート
【図７】データベースシステム１００の処理手順を示すフローチャート
【図８】ログイン画面８００とデータベース選択画面８１０を示す図
【図９】メイン画面９００を示す図
【図１０】表示項目設定画面１０００を示す図
【図１１】保存した表示項目の使用を示す図
【図１２】保存した表示項目による一覧表示を示す図
【符号の説明】
【００６５】
１００………データベースシステム
１０１………サーバ
１０３………端末装置
１０４………ユーザ
１０９………ネットワーク
１１０………ＷＷＷサーバ
１１１………データベース操作手段
１１２………データベースサーバ管理手段
１１３………データベース管理手段
１２０………ＷＷＷブラウザ
２０１、４０１………制御部
２０２、４０２………記憶装置
３０１………商品情報データベース
８１１………ユーザグループ
９０１………情報一覧
９０２………表示項目
９１２………表示項目セット
【図１】
2005092498.tif 000003
【図２】
2005092498.tif 000004
【図３】
2005092498.tif 000005
【図４】
2005092498.tif 000006
【図５】
2005092498.tif 000007
【図６】
2005092498.tif 000008
【図７】
2005092498.tif 000009
【図８】
2005092498.tif 000010
【図９】
2005092498.tif 000011
【図１０】
2005092498.tif 000012
【図１１】
2005092498.tif 000013
【図１２】
2005092498.tif 000014